(57)【特許請求の範囲】
【請求項１】
ロータリカバー１０の後端部にリヤカバー１１を連設し、両カバー１０，１１を耕耘軸１６を支点として前後に回動自在に構成したロータリ３であって、該ロータリ３の上部に設けた一対のトップマスト４ａ，４ｂの内側に、操作レバー２８の回動操作により回動ピン３２を介して前後回動するリンクアーム１４を設け、該リンクアーム１４と上記ロータリカバー１０とをロッド１５で連結し、また、前記操作レバー２８は、その基端部２９を回動ピン３２に一対のトップマスト４ａ，４ｂの内側において連結する一方、その先端側を片側のトップマスト４ａの壁に穿ったレバーガイド穴３３を内側から貫通して外側に突出させて、上記操作レバー２８の回動調節により、ロータリカバー１０を前後位置に回動調節出来るように構成したロータリ。
【請求項２】
上記片側のトップマスト４ａの壁に設けたレバーガイド穴３３に、操作レバー２８を係止出来る係止溝３３ａ，３３ｂ，３３ｃを設けた請求項１記載のロータリ。
【請求項３】
上記操作レバー２８に付勢手段３０を設けて、操作レバー２８の中途部を、レバーガイド穴３３の係止溝３３ａ，３３ｂ，３３ｃの何れかの溝に係止出来るように構成した請求項２記載のロータリ。
【発明の詳細な説明】
【０００１】
【発明の属する技術分野】
本発明は、農業用のトラクタ等に装着可能なロータリのカバー回動調節装置に関するものである。
【０００２】
【従来の技術】
従来、この種のロータリカバーの回動調節装置は、トラクタ後部に装着されるロータリのカバー後端部にリヤカバーを連設しているので、ロータリカバーを前後回動させて、一緒にリヤカバーを上下動調節するようにしているが、その手段として、螺杆を螺筒内に回動自在に螺合させ、螺筒の下端部をロータリカバーに連設すると共に、螺杆上部のハンドルを回動することによる螺子式の調節装置や、上記ハンドルに代えてモータを有する電動シリンダを連設してなる電動式の伸縮調節装置、更にはロータリの上部に設けたトップマストの外側に隣接して突出させた操作レバーとレバーガイドとを装着し、操作レバーを前後に回動させてレバーガイドに係止することによって行うレバー回動方式のもの等が知られている。
【０００３】
【発明が解決しようとする課題】
しかしながら、上記従来技術の螺子式の調節装置のものは、部品点数が多くなってコスト高になるばかりか組立てが容易でなく、しかも調節に時間がかかって作業能率が悪く、任意の位置に調節が出来るのでユーザーが使いこなし難いとの欠点があり、また、電動式の伸縮装置も同じくコスト高となったり、ユーザーが使いこなし難いとの欠点を有し、更にレバー回動方式のものでは、リンクアーム部や操作レバー部等がトップマストの外側に大きく突出していたため、スペースを広く必要としたり外観が悪く、しかもレバーガイドを別途に設ける必要からその分のコストが高くなる等の不具合があった。
本発明の目的は、上記従来の不具合を改善する点にある。
【０００４】
【課題を解決するための手段】
上記目的を達成するため、本発明においては、ロータリカバーの後端部にリヤカバーを連設し、両カバーを耕耘軸を支点として前後に回動自在に構成したロータリであって、該ロータリの上部に設けた一対のトップマストの内側に、操作レバーの回動操作により回動ピンを介して前後回動するリンクアームを設け、該リンクアームと上記ロータリカバーとをロッドで連結し、また、前記操作レバーは、その基端部を回動ピンに一対のトップマストの内側において連結する一方、その先端側を片側のトップマストの壁に穿ったレバーガイド穴を内側から貫通して外側に突出させて、上記操作レバーの回動調節により、ロータリカバーを前後位置に回動調節出来るように構成したことを第１の特徴とする。
【０００５】
又、片側のトップマストの壁に設けたレバーガイド穴に、操作レバーを係止出来る係止溝を設けたことを第２の特徴とする。
【０００６】
更に、操作レバーに付勢手段を設けて、操作レバーの中途部を、レバーガイド穴の係止溝の何れかの溝に係止出来るように構成したことを第３の特徴とする。
【０００７】
【発明の実施の形態】
本発明の実施の形態の一例を以下の図面に基づいて説明する。
図１，２はロータリ装置の全体側面図であって、図１は、ロータリカバーを前方回動した状態を示し、図２はロータリカバーを後方回動した状態を示したもので、図中１はトラクタを示し、２はトラクタ１後部の３点リンクに装着したオートヒッチを示す。３はロータリであって、その前方上部には一対のトップマスト４ａ，４ｂが設けてあり、通常のトラクタと同様に前方上部の連結ピン５に上記オートヒッチ２を連結するようになっており、更に、後方上部には尾輪（図示なし）を装着するためのツールバー６を上下調節するハンドル７付きの螺子式調節装置８を軸支している。
【０００８】
また、トップマスト４の下方にはロータリ３のメーンカバー１０ａが設けてあり、その後端上部に支点１０ｐを中心として上下回動するリヤカバー１１が連結されていて、該リヤカバー１１と上記メーンカバー１０ａとは、夫々のカバー上に固設されたステー１０ｂ，１１ｂ間を緩衝装置１２にて連結している。そして、上記メーンカバー１０ａの上面に固設したブラケット１３を、後述するリンクアーム１４とロッド１５とで連結して、該リンクアーム１４の前後方向への回動動作により、上記メーンカバー１０ａとリヤカバー１１とが、後述するロータリ３の耕耘軸１６を中心に共に前後に回動するように構成されている。
なお、１７は上記耕耘軸１６に多数取付けられた耕耘爪、１８はロータリカバー１０の側方に設けられたチェンケースである。
【０００９】
次に、図３はロータリ３を後方から見た一部断面図、図４は同上要部の拡大図であって、ロータリ３の上部中央にギヤケース２０を設け、その両側面に左右一対のアーム２１，２２を固設し、左端にはチェンケース１８を、右端にはコの字形のサイドプレート２３が下方に向けて夫々固設してある。そして、上記チェンケース１８下部の駆動側軸受部とサイドプレート２３下部に固設した受動側軸受ブラケット２４間には、夫々メタル２５，２５を介して耕耘爪１７を多数取付けた上記耕耘軸１６が固設されていて、トラクタ１の本機側より伝導された動力により回転するようになっている。
【００１０】
また、ロータリ３のカバー構造について説明するに、ロータリカバー１０は、円弧状の天板１０ｃを母体として、その上面の前後端部に補強レート１０ｄ，１０ｄを固設すると共に、両側端には略扇形の側板１０ｅ，１０ｅ（図１，２参照）を固設したメーンカバー１０ａを、両軸受部に設けたメタル２５，２５に前後回動自在に装着する構造としている。
【００１１】
更に、上記両アーム２１，２２のギヤケース２０取付けフランジ部２１ａ，２２ａを上方に延設し、前記トップマスト４ａ，４ｂとを、左右，前後の位置で夫々ボルト２６，２６にて固着している。そして、一対のトップマスト４ａ，４ｂは、図４に記載のように上半部は平行で間隔が狭いが、下半部は左右に傾斜して広がっており、その内部に後述するロータリカバー１０の回動調節を行う操作レバー２８の基端部側を収納している。
【００１２】
２９は操作レバー２８基端部のコ字形ブラケットで、該ブラケット２９の端部には操作レバー２８の前後方向への回動位置を規制するための付勢用のスプリング３０が設けられている。
そして、３１は上記操作レバー２８の左右方向への回動支点となるピンであって、該ピン３１はコ字形ブラケット２９と回動ピン３２とを連結している。
また、回動ピン３２はピン３１との連結により操作レバー２８の前後方向への回動時に、その回動支点となるものである（図５参照）。
なお、上記操作レバー２８の付勢手段として、本案ではスプリング３０を示したが、スプリング３０に限らず、これと同様の作用効果を奏する付勢手段であれば、他のものでも良いことは言う迄もない。
【００１３】
更に、図５は図４の左側側面図であって、３３は片側のトップマスト４ａの壁に穿ったレバーガイド穴で、該レバーガイド穴３３には片側のトップマスト４ａの内側から貫通して外側に突出している操作レバー２８の中途部を係止するための複数の係止溝３３ａ，３３ｂ，３３ｃが設けられており、作業内容や圃場の条件等によって、操作レバー２８を左右方向に回動調節した際に、操作レバー２８がスプリング３０の付勢力で夫々の係止溝３３ａ・・に確実に係止されるようになっている。そして、上記回動ピン３２は上述の如く操作レバー２８の左右回動に伴って回動するものであるが、前記リンクアーム１４はその基端部を回動ピン３２の左右の幅方向略中央に連結しているので、回動ピン３２と同時に左右に回動し、ロッド１５の先端側に連結されたロータリカバー１０を前後に回動することとなる。
【００１４】
本発明のロータリカバーの回動調節装置は、以上のような構成よりなっており、オペレータはロータリ作業を開始する前に、作業内容や圃場条件等に合わせ予め操作レバー２８の位置を、深い耕耘の時は係止溝３３ａに、標準耕耘の時は係止溝３３ｂに、更に浅い耕耘や代掻き作業時には係止溝３３ｃに夫々設定するが、作業途中でロータリカバー１０及びリヤカバー１１の位置が適切でないと判断した場合には、一旦トラクタ１の走行を停止して、ロータリ３を上方に上げて運転席より後方に手を延ばし、操作レバー２８を握って、ピン３１を支点としてスプリング３０による付勢力に抗して外側に回動して上記係止溝３３ａ・・・からの係止を外して、レバーガイド穴３３内を前後に回動して、適切な係止溝３３ａ・・・に迅速・容易に変更することができる。そして、変更調節操作が完了したならば、ロータリ３を再び圃場面に降ろして作業を再開するものである。
【００１５】
従って、本願発明によると、従来のものより構造が簡単となって製作コストが安くなるばかりか、組立ても容易となり、しかも、ロータリカバー１０位置変更時の調節操作が簡単且つ迅速に出来るものである。
そして、同じレバー回動方式のものであり乍ら、従来のものの如く広いスペースを必要とせず、片側のトップマスト４ａの外側に突出するのは操作レバー２８のみとなるので、外観にも何らの支障がなく、レバーガイドも片側のトップマスト４ａにレバーガイド穴３３を穿設するのみの簡単な構成であるので、製作コストも安くなるものである。
更に、操作レバー２８には付勢手段が施してあるので、操作レバー２８が確実に係止溝３３ａ・・内に係止出来、トラクタ１やロータリ３が作業中に振動しても、妄りに設定位置から外れるようなこともない。
【００１６】
【発明の効果】
本発明は、前記の如く、ロータリカバー１０の後端部にリヤカバー１１を連設し、両カバー１０，１１を耕耘軸１６を支点として前後に回動自在に構成したロータリ３であって、該ロータリ３の上部に設けた一対のトップマスト４ａ，４ｂの内側に、操作レバー２８の回動操作により回動ピン３２を介して前後回動するリンクアーム１４を設け、該リンクアーム１４と上記ロータリカバー１０とをロッド１５で連結し、また、前記操作レバー２８は、その基端部２９を回動ピン３２に一対のトップマスト４ａ，４ｂの内側において連結する一方、その先端側を片側のトップマスト４ａの壁に穿ったレバーガイド穴３３を内側から貫通して外側に突出させて、上記操作レバー２８の回動調節により、ロータリカバー１０を前後位置に回動調節出来るように構成したので、従来の螺子式の調節装置や電動式の伸縮調節装置のものより構造が簡単となって製作コストが安くなるばかりか、組立ても容易となり、しかも、ロータリカバー１０位置変更時の調節操作が不慣れなオペレータでも簡単且つ迅速に出来るものである。
【００１７】
また、同じレバー回動方式のものと比較して見ても、従来のものの如く広いスペースを必要とせず、片側のトップマスト４ａの外側に突出するのは操作レバー２８のみとなるので、外観にも何らの支障がなく、レバーガイドも片側のトップマスト４ａにレバーガイド穴３３を穿設するのみの簡単な構成であるので、製作コストも安くなるものである。
更に、上記操作レバー２８には付勢手段が施してあるので、操作レバー２８が確実に係止溝３３ａ・・内に係止出来、仮にトラクタ１やロータリ３が作業中に振動しても、妄りに設定位置から外れるようなこともない。
要するに、本発明は上記記載の如く、各種の実用的作用効果を多々奏するものである。
【図面の簡単な説明】
【図１】ロータリカバーを前方へ回動した状態を示すロータリ装置の全体側面図である。
【図２】ロータリカバーを後方へ回動した状態を示すロータリ装置の全体側面図である。
【図３】ロータリを後方から見た一部断面図である。
【図４】同上要部の拡大図である。
【図５】図４の左側側面図である。
【符号の説明】
１    トラクタ
３    ロータリ
４（４ａ，４ｂ）  トップマスト
１０  ロータリカバー
１０ｐ  支点
１１  リヤカバー
１３  ブラケット
１４  リンクアーム
１５  ロッド
１６  耕耘軸
２８  操作レバー
２９  コ字形ブラケット
３０  スプリング
３１  ピン
３２  回動ピン
３３  レバーガイド穴
３３ａ，３３ｂ，３３ｃ  係止溝
【図１】
0003754886.tif 000002
【図２】
0003754886.tif 000003
【図３】
0003754886.tif 000004
【図４】
0003754886.tif 000005
【図５】
0003754886.tif 000006